(57)【特許請求の範囲】
【請求項１】
清掃用の掃拭部材が取付けられるヘッドと、該ヘッドの中央部に継ぎ手を介して取付けられる柄とを備え、
上記ヘッドが、その中央部に設けられて上記継ぎ手と連結される連結部と、該連結部の両側から左右に延びて上記払掃部材を保持する一対のアーム部とを有し、
これらの一対のアーム部の先端を上記掃拭部材に形成された一対のポケット状の袋部分内にそれぞれ挿入することにより、該掃拭部材をヘッドに装着する構成のモップハンドルにおいて、
上記一対のアーム部が、弾性を有する合成樹脂により横長板状に形成されていて、これら一対のアーム部の板面に、各アーム部の基端側に穿設された貫通孔から自由端側へ向けて徐々に幅を狭めて延びる、各アーム部の可撓性を向上させるための１本のスリットがそれぞれ形成されている、
ことを特徴とするモップハンドル。
【請求項２】
請求項１に記載のモップハンドルにおいて、上記ヘッドが、上記連結部と一対のアーム部とを一体に有し、ヘッド全体として弾性を有する合成樹脂により横長板状に形成されているもの。
【請求項３】
請求項２に記載のモップハンドルにおいて、上記連結部が、上記継ぎ手をヘッドの下面側から挿入係止させるように構成されていて、上記柄が該継ぎ手を介してヘッドに回転自在に取付けられているもの。
【請求項４】
請求項３に記載のモップハンドルにおいて、上記継ぎ手が、ヘッドの長手方向に沿う軸線に対して回動可能に上記連結部と相互連結するための軸部を備えていると共に、上記連結部が、ヘッドの下面側に凹設された、上記軸部を収容する溝部を有していて、上記軸部が、溝部内に回動可能に支持する係止部材によって係止されていると共に、これら軸部及び係止部材を収容した溝部が蓋材によって閉塞されているもの。
【発明の詳細な説明】
【０００１】
【発明の属する技術分野】
本発明は、モップ房等の清掃用の掃拭部材を取付けるためのモップハンドルに関するものである。
【０００２】
【従来の技術】
清掃用の掃拭部材を取付けるためのモップハンドルは、従来より種々のものが知れていて、掃拭部材を保持するヘッドの中央に回転継ぎ手を介して握持用の柄が取付けられているものが一般的である。しかしながら、この種のモップハンドルは、上記ヘッドが硬質である上に定形であるため、上記掃拭部材の取付けが面倒である場合があり、特にヘッドを掃拭部材の上面側に設けられたポケット部に挿入するようなタイプの場合には、ヘッドが変形しづらいためにその取付作業は非常に困難である。また、清掃の際に、清掃対象部位が湾曲していたりあるいは凹凸がある場合には、ヘッドで掃拭部材をその部位に的確に押し付けることができず、確実に清掃を行えない可能性がある上、ヘッドが家具や壁に接触した場合には、その家具等、あるいはヘッド自体を傷付けてしまう可能性もあった。
【０００３】
【発明が解決しようとする課題】
本発明の技術的課題は、清掃対象部位の曲がり具合や凹凸等に柔軟に対応して確実に清掃を行うことができる一方で、柄の押圧力を有効に清掃に生かすることができ、しかも、ヘッドの掃拭部材への取付けを非常に容易に行うことができるモップハンドルを提供することにある。
【０００４】
【課題を解決するための手段】
上記課題を解決するため、本発明のモップハンドルは、清掃用の掃拭部材が取付けられるヘッドと、該ヘッドの中央部に継ぎ手を介して取付けられる柄とを備え、上記ヘッドが、その中央部に設けられて上記継ぎ手と連結される連結部と、該連結部の両側から左右に延びて上記払掃部材を保持する一対のアーム部とを有し、これらの一対のアーム部の先端を上記掃拭部材に形成された一対のポケット状の袋部分内にそれぞれ挿入することにより、該掃拭部材をヘッドに装着する構成のモップハンドルにおいて、上記一対のアーム部が、弾性を有する合成樹脂により横長板状に形成されていて、これら一対のアーム部の板面に、各アーム部の基端側に穿設された貫通孔から自由端側へ向けて徐々に幅を狭めて延びる、各アーム部の可撓性を向上させるための１本のスリットがそれぞれ形成されていることを特徴とするものである。
【０００５】
上記構成を有するモップハンドルは、上記ヘッドは、一対のアーム部が弾性を有していて、しかも各アーム部の板面に形成されたスリットにより可撓性が向上しているため、清掃対象部位の曲がり具合や凹凸に柔軟に対応することができ、これにより、掃拭部材をその清掃対象部位に的確に押し付けて確実に清掃を行うことができ、また、家具や壁等に接触した場合や強く押し付けた場合であっても、それらの家具等を傷付けることはない上、柄の押圧力を確実に掃拭部材に伝え、それを有効に生かすことができる。
さらに、上記一対のアーム部は、その弾性及び可撓性により柔軟に屈曲、変形するため、従来のものと比べて掃拭部材の取付けを行いやすい。
【０００６】
本発明においては、上記ヘッドが、上記連結部と一対のアーム部とを一体に有し、ヘッド全体として弾性を有する合成樹脂により横長板状に形成されているものとすることができる。この場合、上記連結部が、上記継ぎ手をヘッドの下面側から挿入係止させるように構成されていて、上記柄が該継ぎ手を介してヘッドに回転自在に取付けられているものとすることができる。さらに、上記継ぎ手が、ヘッドの長手方向に沿う軸線に対して回動可能に上記連結部と相互連結するための軸部を備えていると共に、上記連結部が、ヘッドの下面側に凹設された、上記軸部を収容する溝部を有していて、上記軸部が、溝部内に回動可能に支持する係止部材によって係止されていると共に、これら軸部及び係止部材を収容した溝部が蓋材によって閉塞されているものとすることができる。
【０００７】
【発明の実施の形態】
図１乃至図５は、本発明のモップハンドルの一実施例をしめすもので、この実施例のモップハンドルは、清掃用の掃拭部材２０が取付けられる細長板状のヘッド１と、該ヘッド１の中央部に回転継ぎ手２を介して回動自在に取付けられる柄３とを備えている。
【０００８】
上記回転継ぎ手２は、上記柄３の先端と連結された第１ジョイント部材４と、該第１ジョイント部材４と軸４ａにより回転自在に相互に連結され、且つ上記ヘッド１と連結される第２ジョイント部材５とを備えている。
上記第２ジョイント部材５は、上記第１ジョイント部材４をヘッド１の長手方向に沿うように回転可能に連結するための板体部６と、この板体部６に連接させた状態で該板体部６と一体に形成された円筒部７と、該円筒部７の軸線方向の両端の面にそれぞれ設けられた一対の断面略矩形状の中空部８，８と、これら一対の中空部８，８内に嵌入された、上記ヘッド１の後述する連結部１０との連結に供する一対の軸部９，９とを有している。
【０００９】
上記一対の軸部９，９は、図６に示すように、それぞれ断面略矩形状に形成された基端部９ａと、相互に対向する左右一対の平面及び相互に対向する方向（上下方向）に突出する一対の曲面とを有する略長円柱状の先端部９ｂとを一体に有したものである。
上記上記中空部８内には、上記基端部９ａが回転不能に嵌入されるが、この場合、上記各軸部９の中空部８への嵌入は、その先端部９ｂの上記一対の平面が、回転継ぎ手２における第２ジョイント部５の板体部６の突出方向と平行となるよう行われる。
【００１０】
上記ヘッド１は、その中央部に設けられた、上記回転継ぎ手２を該ヘッドの下面側から挿入係止させることにより連結させる連結部１０と、該連結部１０の両端側に設けられ、上記掃拭部材を保持するための一対のアーム部１１，１１とを一体に有し、全体として弾性を有する合成樹脂（例えば熱可塑性エラストマ）により形成されている。
【００１１】
上記一対のアーム部１１，１１は、それぞれ上記連結部１０から相反する方向に延びる細板状のもので、例えば、上面側に相反する方向に開口する一対のポケット状の袋部分２０ａ，２０ｂを有する上記掃拭部材２０を、該袋部分内で突っ張るようにしてヘッド１に保持させるものである（図２参照）。なお、図２に示す掃拭部材２０の袋部分２０ａ，２０ｂは、一方の袋部分２０ａは深めに、他方の袋部分２０ｂは浅めに形成されている。
これら一対のアーム部１１，１１は、それぞれの先端側が半円弧状に形成され、家具や壁等に接触した際に傷を付けたり、あるいは掃拭部材を装着した際にその掃拭部材を破損することをより確実に防止するようにしている。
また、これらの一対のアーム部１１，１１の板面には、各アーム部１１，１１の基端側に穿設された貫通孔から先端側へ向けて徐々に幅を狭めて延びるスリット１２，１２が設けられていて、各アーム部１１，１１をそれぞれ細く分割してその可撓性をより一層向上させている。この場合、各アーム部１１，１１は、ヘッド１の上下方向の柔軟性は勿論、ヘッド１の前後方向にもより柔軟に撓みやすくなる。
【００１２】
上記連結部１０は、図４及び図５に示すように、ヘッド１の下面側に凹設された、上記回転継ぎ手２の一部が収容される溝部１３と、上記回転継ぎ手２の一部を収容した状態で該溝部１３の開口を閉塞する蓋材１４とを有している。
上記蓋材１４は、弾性を有した合成樹脂により上記ヘッド１とは別体に形成された板状のもので、溝部１３の開口を閉塞した場合に、ヘッドの下面側から突出しない態様で、溝部１３に圧嵌、保持されるようにしているが、連結部１０及び該蓋材１４を貫通するピン等の挿入によりその固定を安定化させることもできる。
【００１３】
上記溝部１３は、上記回転継ぎ手２を、ヘッド１の下面側から挿入させて係止すると共にその第２ジョイント部材５の一対の軸部９，９以外の部分をヘッド１の上面側に導出させた状態で収容するもので、連結部４が全体としてヘッド１の上面側に突出するのを可能な限り防いで高さが低い空間であってもヘッド１を容易に挿入することができるようにするため、上記回転継ぎ手２の大きさ、特に第２ジョイント部材５の大きさを考慮して可及的に浅く形成され、上記軸部９がヘッド１の低い位置で支持されるようになっている。
【００１４】
この溝部１３は、具体的には、第２ジョイント部材５の円筒部７をその中心軸線がヘッド１の長手方向に沿うように間に位置させた状態で、上記軸部９，９の各先端部９ｂ，９ｂをそれぞれ収容する一対の壁部１５，１５と、これらの壁部１５，１５の各対向面側にそれぞれ設けられた、軸部６の先端部９ｂをヘッド１の上部側から保持する抑え部１５ａ，１５ａと、各軸部９，９の先端部９ｂ，９ｂを下部側から支持する一対の支持部１７，１７を備えた、上記ヘッド１と別部材である係止部材１６とを有している。
したがって、上記軸部９，９は、抑え部１５ａ，１５ａ及び支持部１７，１７により回転可能に軸支されることとなり、これにより回転継ぎ手２の第２ジョイント部材５は、ヘッド１の長手方向と直交する方向に回転可能となるため、結果として、柄３は回転継ぎ手２を介し、ヘッド１に対して複数方向に回転することができる。
【００１５】
上記係止部材１６の支持部１７，１７には、上記軸部９の先端部９ｂの回転を抑止するためのロック機構が設けられていて、例えば大きな塵や埃の清掃除去作業を行う場合等には、通常の箒と同様の使い方をすることができるような構成となっている。
このロック機構は、図４及び図５に示すように、上記係止部材１６の各支持部１７を形成する、先端中央が上記軸部９の先端部９ｂの曲面の曲率に適応する湾曲部１７ｂが形成された立壁１７ａ、及び該立壁１７ａの先端両側に設けられ、上記軸部９の先端部９ｂの両側から挟み込む、弾性を有する一対の平行な薄板状の弾性板１７ｃ，１７ｃとで構成される。
したがって、上記回転継ぎ手２の第２ジョイント部材５の板体部６がヘッド１の板面に対して直角に位置するときには、上記湾曲部１７ｂに軸部９の先端部９ｂの曲面が当接し、且つ上記一対の弾性板１７ｃ，１７ｃが先端部９ｂの一対の平面の部分と当接することになるため、該軸部９が弾性板１７ｃ，１７ｃによって回転できないように弾性的に係止され、この結果、ヘッド１と回転継ぎ手２の第２ジョイント部材５との間の相互の動きは抑止されることになる。また、上記第２ジョイント部材５のヘッド１に対する回転方向に一定以上の力を加えると、弾性板１７ｃ，１７ｃが開くことにより軸部９の係止が解除され、ヘッド１と回転継ぎ手２との間のロックは解除されることとなる。
【００１６】
上記構成を有するモップハンドルは、連結部１０及び一対のアーム部１１，１１を含めたヘッド１全体を弾性ある合成樹脂により一体に形成したため、ヘッド１自体の部品点数が少なく、しかも、回転継ぎ手２とヘッド１との連結を、該回転継ぎ手２をヘッド１の下面側から連結部１０に挿入し、係止させるという簡単な構成としたことにより、モップハンドル全体としての構成が非常に単純であり、また全体の部品点数も少なく組立が容易である。
さらに、上記ヘッド１は、全体として弾性を有しているため、変形することで清掃対象部位の曲がり具合や凹凸に柔軟に対応することができ、これにより、掃拭部材をその清掃対象部位に的確に押し付けて確実に清掃を行うことができ、また、家具や壁等に接触した場合や強く押し付けた場合であっても、それらの家具等を傷付けることはない上、柄３からの押圧力を確実に掃拭部材に伝え、それを有効に生かすことができる。しかも、横長板状の上記ヘッド１の両端に位置する一対のアーム部１１，１１は、その形状と弾性により特に柔軟に屈曲、変形するため、従来の硬質のものと比べて掃拭部材の取付けを行いやすい。
【００１７】
上記実施例においては、ヘッド１のアーム部１１，１１にそれぞれスリット１２を１本だけ設けた構成となっているが、このスリット１２は、ヘッド１の弾性及び剛性を考慮した上で、各アーム部１１，１１に複数本ずつ設けてもよい。
また、上記実施例では、ヘッド１と回転継ぎ手の第２ジョイント部材５との相互の動きを抑止するロック機構を備えた構成となっているが、このロック機構は必ずしも設ける必要はない。
【００１８】
【発明の効果】
以上に詳述したように、本発明のモップハンドルによれば、上記ヘッドは、一対のアーム部が弾性と可撓性を有しているため、変形することで清掃対象部位の曲がり具合や凹凸に柔軟に対応することができ、これにより、掃拭部材を確実にその清掃対象部位に的確に押し付けて確実に清掃を行うことができ、また、家具や壁等に接触した場合や強く押し付けた場合であっても、それらの家具等を傷付けることはない上、柄の押圧力を確実に掃拭部材に伝え、それを有効に生かすことができる。さらに、横長板状の上記ヘッドの両端に位置する一対のアーム部は、その弾性と可撓性とにより柔軟に屈曲、変形するため、従来のものと比べて掃拭部材の取付けを行いやすい。
【図面の簡単な説明】
【図１】  本発明のモップハンドルを示す斜視図である。ただし、柄の一部を省略している。
【図２】  同正面図である。ただし、柄の一部を省略している。
【図３】  同底面図である。
【図４】  本発明のモップハンドルの一部破断断面図である。ただし、柄及び回転継ぎ手の第１ジョイント部材を取り外した状態を示す。
【図５】  本発明のモップのヘッドの連結部での拡大横断面図である。ただし、柄及び回転継ぎ手の第１ジョイント部材を取り外した状態を示す。
【図６】  本発明の回転継ぎ手の第２ジョイント部材と係止部材との連結状態を示す斜視図である。ただし、第２ジョイント部材は一部分解した状態を示す。
【符号の説明】
１  ヘッド
２  回転継ぎ手
３  柄
９  軸部
１０  連結部
１１  アーム部
１２  スリット
１３  溝部
１４  蓋材
１６  係止部材
【図１】
0004027673.tif 000002
【図２】
0004027673.tif 000003
【図３】
0004027673.tif 000004
【図４】
0004027673.tif 000005
【図５】
0004027673.tif 000006
【図６】
0004027673.tif 000007